(57)【要約】【課題】    本発明は、使用勝手の良好な切り花輸送用容器を提供することを目的としている。【解決手段】    切り花輸送用容器Ｃは、水を入れる開口部１ａを有する袋１と、この袋１の開口部１ａの縁部の内側であって開口部１ａの縁部の全体に亙って設けられ、空気を収納して袋１の開口部１ａを狭めて切り花の茎Ｐを支持する空気収納部２とを備えている。【選択図】図９
2005022760.tif 000002
【特許請求の範囲】
【請求項１】
水を入れる開口部を有する袋と、
この袋の開口部の縁部の内側であって前記開口部の縁部の全体に亙って設けられ、空気を収納して前記袋の開口部を狭めて切り花の茎を支持する空気収納部と
を備えていることを特徴とする切り花輸送用容器。
【請求項２】
袋と空気収納部とを接離自在に独立して設け、前記空気収納部が横に倒れた際、前記袋と前記空気収納部との間に袋内の水の侵入を許容する部位とする
ことを特徴とする請求項１記載の切り花輸送用容器。
【請求項３】
空気収納部の切り花の茎を支持する側は、前記茎の突起により前記空気収納部が破損しない強度を有する部材で形成されている
ことを特徴とする請求項１記載の切り花輸送用容器。
【請求項４】
水が入った開口部を有する袋と、
この袋の開口部の縁部の内側であって前記開口部の縁部の全体に亙って設けられ、空気を収納して前記袋の開口部を狭めて切り花の茎を支持する空気収納部と、
この空気収納部に空気を入れる通路とを備え、
水が入った前記袋の開口部より複数本の切り花を入れ、その後、前記空気収納部へ空気を入れて、前記袋の開口部を狭めて複数本の前記切り花の茎に密着させて複数本の前記切り花の茎を前記空気収納部により支持する
ことを特徴とする輸送用切り花の支持方法。
【請求項５】
切り花の茎と空気収納部との間に、前記茎の突起により前記空気収納部が破損しない強度を有する部材を介在させている
ことを特徴とする請求項４記載の輸送用切り花の支持方法。
【請求項６】
水を入れる開口部は、袋の上縁部の全幅又は一部に設けられていることを特徴とする請求項１記載の切り花輸送用容器。
【発明の詳細な説明】
【技術分野】
【０００１】
本発明は、切り花輸送用容器及び輸送用切り花の支持方法に係り、特に、使用勝手の良好な切り花輸送用容器及び輸送用切り花の支持方法に関する。
【背景技術】
【０００２】
最近、水の入った容器に切り花を入れて輸送するものが浸透している。この容器は、断面が略四角形状の凹状の容器本体と、この容器本体に切り花を支持する先端が開放した支持部を備えた蓋体で構成されたもので、切り花の束の大きさに対応するために、蓋体を複数用意している。
【発明の開示】
【発明が解決しようとする課題】
【０００３】
しかしながら、上述した容器にあっては、特に、大量に使用する市場においては、使用後、再利用、廃棄等の処分する際、該容器はそのままの形状であるため、保管、搬送の点で、嵩張ってしまうという問題点が生じた。
本発明は、上述した問題点を除去するようにした切り花輸送用容器及び輸送用切り花の支持方法を提供するものである。
【課題を解決するための手段】
【０００４】
上記目的を達成するために、請求項１記載の切り花輸送用容器は、水を入れる開口部を有する袋と、この袋の開口部の縁部の内側であって前記開口部の縁部の全体に亙って設けられ、空気を収納して前記袋の開口部を狭めて切り花の茎を支持する空気収納部とを備えている。
【０００５】
また、請求項２記載の切り花輸送用容器は、請求項１記載の切り花輸送用容器において、袋と空気収納部とを接離自在に独立して設け、前記空気収納部が横に倒れた際、前記袋と前記空気収納部との間に袋内の水の侵入を許容する部位とするものである。
【０００６】
また、請求項３記載の切り花輸送用容器は、請求項１記載の切り花輸送用容器において、空気収納部の切り花の茎を支持する側は、前記茎の突起により前記空気収納部が破損しない強度を有する部材で形成されているものである。
【０００７】
また、請求項４記載の輸送用切り花の支持方法は、水が入った開口部を有する袋と、この袋の開口部の縁部の内側であって前記開口部の縁部の全体に亙って設けられ、空気を収納して前記袋の開口部を狭めて切り花の茎を支持する空気収納部と、この空気収納部に空気を入れる通路とを備え、水が入った前記袋の開口部より複数本の切り花を入れ、その後、前記空気収納部へ空気を入れて、前記袋の開口部を狭めて複数本の前記切り花の茎に密着させて複数本の前記切り花の茎を前記空気収納部により支持するものである。
【０００８】
また、請求項５記載の輸送用切り花の支持方法は、請求項４記載の輸送用切り花の支持方法において、切り花の茎と空気収納部との間に、前記茎の突起により前記空気収納部が破損しない強度を有する部材を介在させているものである。
【０００９】
また、請求項６記載の切り花輸送用容器は、請求項１記載の切り花輸送用容器において、水を入れる開口部は、袋の上縁部の全幅又は一部に設けられているものである。
【発明の効果】
【００１０】
請求項１記載の切り花輸送用容器によれば、花輸送用容器を横に倒しても、袋内の水は空気で膨らんだ空気収納部を乗り越えなければ、袋の外へでない構成となっているため、外部への水もれ防止を図ることができ、しかも、袋の開口部の狭まりを複数の切り花の大きさに合わせることができ、更に、使用後、再利用、廃棄等の処分する際、空気収納部内の空気を外部へ放出すれば、嵩張らないで処理することができ、使用勝手が良好である。
【００１１】
また、請求項２記載の切り花輸送用容器によれば、請求項１記載の発明の効果に加え、空気収納部が横に倒れた際、袋と空気収納部との間に袋内の水の侵入を許容する部位とすることができるため、その分より多くの水を袋内に収納することができる。
【００１２】
また、請求項３記載の切り花輸送用容器によれば、請求項１記載の発明の効果に加え、袋の開口部の狭まりで切り花を支持する際、茎の突起により空気収納部が破損しない強度を有する部材により空気収納部の破損を防ぐことができる。
【００１３】
また、請求項４記載の輸送用切り花の支持方法によれば、袋を横に倒しても、袋内の水は空気で膨らんだ空気収納部を乗り越えなければ、袋の外へでない構成となっているため、外部への水もれ防止を図ることができ、しかも、袋の開口部の狭まりを複数の切り花の大きさに合わせることができ、更に、使用後、再利用、廃棄等の処分する際、空気収納部内の空気を外部へ放出すれば、嵩張らないで処理することができ、使用勝手が良好である。
【００１４】
また、請求項５記載の輸送用切り花の支持方法によれば、請求項４記載の発明の効果に加え、袋の開口部の狭まりで切り花を支持する際、茎の突起により空気収納部が破損しない強度を有する部材により空気収納部の破損を防ぐことができる。
【実施例】
【００１５】
本発明の一実施例の切り花輸送用容器及び輸送用切り花の支持方法を図面を参照して説明する。
図１乃至図１０において、Ｃは切り花輸送用容器で、切り花輸送用容器Ｃは、水を入れる開口部１ａを有する袋１と、この袋１の開口部１ａの縁部の内側であって開口部１ａの縁部の全体に亙って設けられ、空気を収納して袋１の開口部１ａを狭めて切り花の茎Ｐを支持する空気収納部２とを備えている。
【００１６】
また、空気収納部２には、空気を入れる通路３が設けられ、この通路３には、外部への空気の流れを阻止する逆支弁の機能を果たす周知の切れ込み４が設けられている。
なお、図示しないが、切れ込み４の代わりに、通路３の開放端を閉じる蓋を設けても良い。
【００１７】
また、空気収納部２の一部を袋１と共有して形成しても良いが、本実施例のように、共用せずそれぞれ独立の部材とし、袋１と空気収納部２とを接離自在に独立して設け、空気収納部２が横に倒れた際、袋１と空気収納部２との間に袋１内の水の侵入を許容する部位として、より多くの水を袋１内に収納することができる。
【００１８】
また、空気収納部２の切り花の茎Ｐを支持する側２ａは、茎Ｐの突起により空気収納部２が破損しない強度を有する部材５で形成するようにしても良いし、茎Ｐの突起により空気収納部２が破損しない強度を有する部材５を切り花の茎Ｐの周囲に付着させても良い。
要するに、望ましくは、切り花の茎Ｐと空気収納部２との間に、茎Ｐの突起により空気収納部２が破損しない強度を有する部材５が介在されていれば良い。
【００１９】
なお、袋１及び空気収納部２は、例えば、材質は、ポリエチレンで、矩形形状のシ−ト状部材を折り曲げ、溶着して形成される。
即ち、空気収納部２は、先ず、図３に示すようにシ−ト状部材の上辺に逆止弁の機能を有する通路３を置き、図４に示すように、シ−ト状部材の下辺をシ−ト状部材の上辺に重なるように折り返す。次に、袋１を形成するシ−ト状部材の上辺と図４のシ−ト状部材の上辺とを重ねて溶着する。溶着後、図５に示すように、シ−ト状部材を中央より折り返し、シ−ト状部材の右辺と左辺とが、下辺が中央部分で折り返されて、それぞれ溶着して切り花輸送用容器Ｃが形成される（図６参照）。
【００２０】
従って、輸送用切り花の支持方法は、図７に示すように、水が入った袋１の開口部１ａより複数本の切り花を入れ、その後、空気収納部２へ空気を入れて、袋１の開口部１ａを狭めて複数本の切り花の茎Ｐに密着させて複数本の切り花の茎Ｐを空気収納部２により支持することができる（図８及び図９参照）。
その結果、図１０に示すように、袋１を横に倒しても、袋１内の水は空気で膨らんだ空気収納部２を乗り越えなければ、袋１の外へでない構成となっているため、外部への水もれ防止を図ることができ、しかも、袋１の開口部１ａの狭まりを複数の切り花の大きさに合わせることができ、更に、使用後、再利用、廃棄等の処分する際、空気収納部２内の空気を外部へ放出（例えば、通路３内にストロ−を入れ、逆支弁の機能を果たす切れ込み４に隙間を形成したり、または、切り花輸送用容器Ｃを廃棄する場合、空気収納部２をカッタ−で破損すれば、空気収納部２内の空気を容易に外部へ放出させることができる。）すれば、嵩張らないで処理することができ、使用勝手が良好である。
【００２１】
なお、望ましくは、図８及び図９に示す切り花を支持した切り花輸送用容器Ｃを図示しないダンボ−ルに入れ、切り花の鮮度を保持して輸送される。
【００２２】
上述した実施例においては、水を入れる開口部１ａは、袋１の上縁部の全幅に亘って設けたが、本願発明にあってはこれに限らず、袋１の上縁部１Aの一部に亘って開口部１ａを設けても良い。
即ち、袋１の上縁部１Aの一部に開口部１ａを設け、袋１を横に倒しても、袋１内の水は、空気収納部２と袋１との空所K１（図１２参照）以外に、上縁部１Aの両側の縁部に近い側の空所K2（図１３参照）にもあるため、袋１内の水は空気で膨らんだ空気収納部２を乗り越えなければ、袋１の外へより出にくい構成となっているため、外部への水もれをより防止することができる。
【００２３】
なお、図１１乃至図１４における花輸送用容器Cにおいても、上述した実施例の花輸送用容器Cと同様に、水を入れる開口部１ａを有する袋１と、この袋１の開口部１ａの縁部の内側であって開口部１ａの縁部の全体に亙って設けられ、空気を収納して袋１の開口部１ａを狭めて切り花の茎Pを支持する空気収納部２とを備えている。
【図面の簡単な説明】
【００２４】
【図１】図１は、本発明の一実施例の切り花輸送用容器の概略的平面図である。
【図２】図２は図１のＸ−Ｘ線による概略的断面図である。
【図３】図３は、空気収納部を形成する前のシ−ト状部材の概略的平面図である。
【図４】図４は、図３のシ−ト状部材を折り返した状態の概略的平面図である。
【図５】図５は、袋を形成するシ−ト状部材の上辺と図４のシ−ト状部材の上辺とを溶着した状態の概略的平面図である。
【図６】図６は、図５のシ−ト状部材を中央より折り返し、右辺と下辺とを溶着した状態の概略的平面図である。
【図７】図７は、花輸送用容器の使用状態を示すもので、切り花を花輸送用容器に入れようとしている状態の概略的斜視図である。
【図８】図８は、切り花を花輸送用容器で支持した状態の概略的斜視図である。
【図９】図９は、図８の概略的断面図である。
【図１０】図１０は、図８の花輸送用容器が倒れた状態の概略的断面図である。
【図１１】図１１は、図１の切り花輸送用容器と異なる他の実施例の切り花輸送用容器の概略的斜視図である。
【図１２】図１２は、図１１の１２−１２による概略的断面図である。
【図１３】図１３は、図１１の１３−１３による概略的断面図である。
【図１４】図１４は、図１１の切り花を花輸送用容器で支持した状態の概略的正面図である。
【符号の説明】
【００２５】
Ｃ  ・・・・・切り花輸送用容器
Ｐ  ・・・・・切り花の茎
１  ・・・・・袋
１ａ・・・・・開口部
２  ・・・・・空気収納部
【図１】
2005022760.tif 000003
【図２】
2005022760.tif 000004
【図３】
2005022760.tif 000005
【図４】
2005022760.tif 000006
【図５】
2005022760.tif 000007
【図６】
2005022760.tif 000008
【図７】
2005022760.tif 000009
【図８】
2005022760.tif 000010
【図９】
2005022760.tif 000011
【図１０】
2005022760.tif 000012
【図１１】
2005022760.tif 000013
【図１２】
2005022760.tif 000014
【図１３】
2005022760.tif 000015
【図１４】
2005022760.tif 000016